(57)【要約】【課題】浴室の壁に、通線用の穴及びビス穴をあけるだけで簡易、短時間、低コストで設置できる薄型、軽量の浴室テレビを提供する。【解決手段】本発明は、開口枠３と周壁枠４とからなる外枠２を設け、該外枠２の開口縁３ａに沿った内面に防水弾性シート６を貼着しその外域に防水弾性接着剤７の塗布層を設け、該防水弾性接着剤に前記外枠の開口を覆う透光板（強化ガラス）５の周縁部を防水弾性シート６に圧着させた状態で接着支持させるとともに、前記透光板５にスクリーン面が対向するように扁平状の液晶テレビ受像機１０を配置し、該テレビ受像機１０の背面側を前記外枠２の周壁枠４内に落とし込んだ背面枠１４で覆い、該背面枠１４と前記外枠２の周壁枠４との間、及び前記テレビ受像機より引き出した導線１２と背面枠１４に開口した導線穴１３との間をそれぞれ防水弾性接着剤７により封緘し、壁掛け式に設置できるように構成した。【選択図】  図３
2004208046.tif 000002
【特許請求の範囲】
【請求項１】
開口枠と周壁枠とからなる外枠を設け、該外枠の開口縁に沿った内面に防水弾性シートを貼着しその外域に防水弾性接着剤の塗布層を設け、該防水弾性接着剤に前記外枠の開口を覆う透光板の周縁部を防水弾性シートに圧着させた状態で接着支持させるとともに、前記透光板にスクリーン面が対向するように扁平状の液晶テレビ受像機を配置し、該テレビ受像機の背面側を前記外枠の周壁枠内に落とし込んだ背面枠で覆い、該背面枠と前記外枠の周壁枠との間、及び前記テレビ受像機より引き出した導線と背面枠に開口した導線穴との間をそれぞれ防水弾性接着剤により封緘したことを特徴とする浴室テレビ。
【請求項２】
前記外枠と該外枠の周壁枠内に落とし込んだ背面枠とが、ステンレス鋼板により形成されていることを特徴とする請求項１に記載の浴室テレビ。
【請求項３】
前記防水弾性接着剤が、塗布前液状、塗布後に短時間でゴム状に硬化するシーラー材であることを特徴とする請求項１又は２に記載の浴室テレビ。
【請求項４】
背面板にビス穴を有し、該背面板の端縁に前記外枠の周壁枠に係止できる爪片を有し、かつ、該爪片と前記周壁枠とに共通ビス穴を設けてなる取付基板を、前記外枠に附属させたことを特徴とする請求項１〜３のうちの１に記載の浴室テレビ。
【発明の詳細な説明】
【０００１】
【発明が属する技術分野】
本発明は、浴室内に壁掛け式に設置でき、温湯に浸かりながらゆっくりテレビ画像が楽しめる浴室テレビに関するものである。
【０００２】
【従来の技術】
従来の浴室テレビは、湿気の多い浴室内でも使用できるように完全防水型筐体内に構成し、その筐体寸法に合わせて浴室壁を切断開口して埋め込むように設置し、その埋め込んだ奥壁よりテレビ受像機から引き出した導線を壁裏において電源回路に接続するとともに、完全防水筐体の空気がテレビ受像機を含む熱媒体の熱により膨張することを避けるため、筐体内と壁裏とを空気抜パイプを介して連通させていた。
【０００３】
【発明が解決しようとする課題】
しかしながら、完全防水筐体内に構成した従来の浴室テレビは、その形態が大きいため、浴室壁を大きく切断開口するために複雑な施工が必要となり、大規模な工事になっていた。また、筐体内と壁裏とを連通する空気抜パイプの設置工事にも多くの手間と面倒な作業が必要であって設置期間を長期化したし、設置コストも高くなっていた。
【０００４】
本発明は、上記の課題を解消するためのもので、その目的とするところは、浴室の壁を開口せず、通線用の穴及びビス穴をあけるだけで簡易に、しかも、浴室外に空気抜パイプを連通させることなく、短時間にして低コストで設置できるようにした薄型、軽量の浴室テレビを提供することにある。
【０００５】
【課題を解決するための手段】
上記目的を達成するため、本発明に係る浴室テレビは、開口枠と周壁枠とからなる外枠を設け、該外枠の開口縁に沿った内面に防水弾性シートを貼着しその外域に防水弾性接着剤の塗布層を設け、該防水弾性接着剤に前記外枠の開口を覆う透光板の周縁部を防水弾性シートに圧着させた状態で接着支持させるとともに、前記透光板にスクリーン面が対向するように扁平状の液晶テレビ受像機を配置し、該テレビ受像機の背面側を前記外枠の周壁枠内に落とし込んだ背面枠で覆い、該背面枠と前記外枠の周壁枠との間、及び前記テレビ受像機より引き出した導線と背面枠に開口した導線穴との間をそれぞれ防水弾性接着剤により封緘したことを特徴とし、全厚を薄く軽量化してビス等の簡易手段により浴室の壁に壁掛け式に設置でき、しかも、テレビ受像機の通電時の発熱により内部空間内の空気の膨張を吸収できるように構成している。
【０００６】
また、請求項２に記載の発明に係る浴室テレビは、前記外枠と該外枠の周壁枠内に落とし込んだ背面枠とが、ステンレス鋼板により形成されていることを特徴とし、湿気の多い浴室内において錆びたり腐食したりすることがなく、耐久性に優れ、外観をいつまでも美麗な体裁に保つことができるように構成している。
【０００７】
さらに、請求項３に記載の発明に係る浴室テレビは、前記防水弾性接着剤が、塗布前液状、塗布後に短時間でゴム状に硬化するシーラー材であることを特徴とし、塗布し易く、接着性に優れ、硬化後、テレビ受像機からの放熱により外枠と背面枠とで囲まれた密閉空間内の空気の膨張・収縮にも確実に適応できるように構成している。
【０００８】
また、請求項４に記載の発明に係る浴室テレビは、ビス穴を有する背面板の端縁に、前記外枠の周壁枠に係止できる爪片を有し、該爪片と前記周壁枠とに共通ビス穴を設けてなる取付基板を、前記外枠に附属させたことを特徴とし、取付基板を浴室の壁面に所定のように固定し、その爪片に本願浴室テレビの外枠の周縁部を係止してビス止めすれば、大工事をすることなく、本願浴室テレビを簡単かつ体裁良く設置できるように構成している。
【０００９】
【発明の実施の態様】
次に、本発明を添付図面に示す実施の態様に基づいて説明する。図１は本願テレビと取付基板とを示す外観斜視図、図２は外枠の開口縁と透光板との関係を示す部分断面図で、（ａ）は透光板の固定前、（ｂ）は透光板の固定後、図３は本願テレビの取付状態を示す一部省略側面断面図、図４は本願テレビの配線を示す略示的説明図である。
【００１０】
図において、１は本願浴室テレビ、２は該本願浴室テレビ１の外枠である。外枠２は開口枠３と周壁枠４とを有している。この開口枠３の開口縁３ａには内面側から透光板（代表的には強化ガラスがある）５が取付けられている。該透光板５の取付けには、まず、図２（ａ）の如く、前記開口枠３の開口縁３ａに沿った内側の面に防水弾性シート６をその粘着面６′を介して矢印の如く貼る。次いで防水弾性シート６の外域を囲むように防水弾性接着剤７の塗布層を設ける。しかる後、防水弾性接着剤７に、図２（ｂ）の如く、前記透光板５の周縁部を防水シート６に圧着させるように接着支持させる。最後に透光板５の周縁部をその背面側から押え枠８により押え付ける。該押え枠８は前記防水弾性接着剤７により透光板５と共に固定される。
【００１１】
前記開口枠３の開口縁３ａに沿って貼った防水弾性シート６は、透光板（強化ガラス）５が運搬中の振動による破損することを防止し、かつ、本願浴室テレビ１の設置施工事の衝撃を吸収する機能を果たす上に、テレビ受像機からの熱による内部空間（後記する透光板付外枠と背面枠と接着剤により閉塞された空間）Ｓの膨張容積のダンパー効果、及び防水弾性接着剤が開口縁３ａからはみ出すことを防止する効果が得られるようにするものである。
【００１２】
前記押え枠８の背面には、その鉛直方向にネジ棒９が立設されている。該ネジ棒９には、図３の如く、前記透光板５にスクリーン面１０ａを対向して配置した扁平状の液晶テレビ受像機１０が嵌合され、位置決めされている。該テレビ受像機１０はその背面側からネジ棒９に螺挿した締付ナット９ａにて締め付け固定されている。なお、図中、１０′は前記外枠２の外面に露出した液晶テレビ受像機１０の操作ボタン群であり、図示していないが防水されている。
【００１３】
また、前記テレビ受像機１０の背面側は、前記外枠２の周壁枠４内に落とし込んだ背面枠１１にて覆われている。該背面枠１１の落とし込み位置は前記押え枠８の背面に立てたスペーサ（前記ネジ棒９を利用してもよい）９′により規制されている。また、背面枠１１の適所には、前記テレビ受像機１０より引き出した導線（アンテナ用ケーブル、電源用ケーブル及びスピーカ用ケーブル）１２を外部に排出させる導線穴１３が設けられている。
【００１４】
前記背面枠１１の外周縁と前記外枠２の周壁枠３の内面との間Ｇ１  と、前記導線１２とその排出穴１３との間Ｇ２  には前記防水弾性接着剤７が詰められ、前記テレビ受像機１０を収容している透光板付外枠２と背面枠１１とで囲まれた空間Ｓ内を完全密閉型（気密・液密）に構成している。
【００１５】
前記外枠２及び背面枠１１とで囲まれた空間Ｓを完全密閉型にできたのは、前記外枠２及び背面枠１１をステンレス鋼板（２ｍｍ厚程度のもの）により形成したことも重要である。該ステンレス鋼板は表面に緻密なクロム酸化物が形成されている耐蝕性に優れた板材料であって、湿気の多い浴室内において錆びたり腐食したりすることがなく、耐久性に優れ、外観をいつまでも美麗な体裁に保つことができる点で優れている。勿論、外枠２及び背面枠１１は、軟鉄を母材とし、その表面をステンレス鋼により被覆した複合素材を用いて構成してもよい。
【００１６】
また、上記完全密閉型にするために、本発明では、製作（組立）過程において特別な環境下に置くことなく、常温度、常湿度、常気圧で組立て、該組立後、内部にシリカゲル材等の除湿材（図示せず）を投入し、該除湿材の作用により本願浴室テレビ１の周囲温度が０度から４５度に温度変化する環境下に設定されたとしても、温度差によって結露が生じないようにすることもある。
【００１７】
前記透光板付外枠２及び背面枠１１とで囲まれた空間Ｓ内には、液晶テレビ受像機１０を含む多々の熱媒体部品があり、その発熱時に内部空気が熱膨張したときに、その膨張は、背面枠１１の面の膨らみ具合と、前記防水弾性シート及び防水弾性接着剤７の弾力性で逃がすようにしている。実験では、液晶テレビ受像機１０を４８時間連続通電して膨張を吸収していることが確認されている。尤も、過度な膨張を避けるため、前記液晶テレビ受像機１０の電源回路にタイマー（図示せず）を設置し、電源投入後、入浴時間等を考慮して、例えば、３０分で電源が切れる回路に構成することもある。
【００１８】
前記防水弾性接着剤７は、塗布前液状、塗布後に短時間でゴム状に硬化するシーラー材であるものがよい。具体的には、自動車のウインドをシールするために市販されている自動車セメダイン（商標）を用いて満足できる。このシーラー材は、塗布し易く、接着性に優れ、硬化後、テレビ受像機からの放熱により外枠と背面枠とで囲まれた密閉空間Ｓ内の空気の膨張・収縮にも確実に適応できる弾力性が得られる点で優れている。なお、ブチルゴム、ニトリルゴム、クロロプレンゴムなどの合成ゴムに、アスファルトなどの防水性の粘着剤を混合したものを用いてもよい。
【００１９】
前記外枠２には、背面板１４にビス穴１５を有し、かつ、該背面板１４の端縁に前記外枠２の周壁枠４に係止できる爪片１６を有し、該爪片１６と前記周壁枠４とに共通ビス穴１７を設けた取付基板１８を附属させている。しかして、本願浴室テレビ１を浴室Ｆの壁面Ｆ′に取付けるに際し、まず、取付基板１８をその背面板１４のビス穴１５に挿通したビス１９にて壁面Ｆ′に固定する。次いで、取付基板１８の爪片１６に、外枠２の周壁枠４を係止させ、該爪片１６と周壁枠４の共通位置に設けたビス穴１７をビス２０により固定することにより本願浴室テレビ本体１が設置される。
【００２０】
上記本願浴室テレビ本体１の設置に際し、予め、浴室Ｆの取付壁面Ｆ′に、図３の如く、通線用の穴２１を設けておき、該穴２１に前記導線１２を通して浴室Ｆの壁裏に取り出し、図４の如く、外部アンテナ２２、浴室Ｆの天井Ｆ″などの面に設置したスピーカ２３を含む電源回路２４に接続する。ここに使用する取付基板１８、ビス１９、２０も共にステンレス鋼又はクロムメッキ品を用いることが耐蝕性の点で好ましい。
【００２１】
【発明の効果】
以上の如く、本発明に係る浴室テレビは、開口枠と周壁枠とからなる外枠を設け、該開口枠の開口縁に沿った内面に防水弾性シート層とその外域に防水弾性接着剤層を設け、該防水弾性接着剤層にて前記開口枠の開口縁を覆う透光板の周縁部を支持するとともに、前記透光板にスクリーン面が対向するように扁平状の液晶テレビ受像機を配置し、該テレビ受像機の背面側を前記外枠の周壁枠内に落とし込んだ背面枠で覆い、該背面枠と前記外枠の周壁枠との間、及び前記テレビ受像機より引き出した導線と前記背面枠に開口した導線排出穴との間をそれぞれ防水弾性接着剤により封緘したことを特徴としているから、防水弾性シートが透光板（強化ガラス）の運搬中の振動による破損を有効に防止するし、設置施工事の衝撃を吸収する機能を果たす上に、透光板を支持した防水弾性接着剤層と共にテレビ受像機を含む発熱媒体から生じた熱による内部空間の膨張容積のダンパー効果を発揮し、更に、防水弾性接着剤が開口枠の開口縁からはみ出すことを有効に防止する効果が得られる。また、透光板にスクリーン面が対向するように扁平状の液晶テレビ受像機を内蔵した外枠は、その全厚が薄く、軽量であって、浴室の壁にビスにより簡易に固定設置できる。しかも、開口枠の開口を透光板で覆った外枠とこれに落とし込んだ背面枠とで囲まれ、防水弾性接着剤で封緘した密閉空間内はテレビ受像機の通電時の発熱により空気が膨張しても従来の如く空気抜パイプを利用せずして膨張を吸収できるなど、各種の優れた効果を奏する。
【００２２】
また、請求項２に記載の発明に係る浴室テレビは、前記外枠と、前記背面枠とが、ステンレス鋼板により形成されていることを特徴としているから、湿気の多い浴室内において錆びたり腐食することがなく、いつまでも美麗な体裁を維持できるという優れた効果を奏する。
【００２３】
さらに、請求項３に記載の発明に係る浴室テレビは、請求項３に記載の発明に係る浴室テレビは、前記防水弾性接着剤が、塗布前液状、塗布後に短時間でゴム状に硬化するシーラー材であることを特徴としているから、塗布し易く、接着性に優れ、硬化後、テレビ受像機からの放熱により外枠と背面枠とで囲まれた密閉空間内の空気の膨張・収縮にも確実に適応できるという優れた効果を奏する。
【００２４】
また、請求項４に記載の発明に係る浴室テレビは、ビス穴を有する背面板の端縁に、前記外枠の周壁枠に係止できる爪片を有し、該爪片と前記周壁枠とに共通ビス穴を設けてなる取付基板を、前記外枠に附属させたことを特徴としているから、取付基板を浴室の壁面に所定のように固定し、その爪片に本願浴室テレビの外枠の周縁部を係止してビス止めすれば、大工事をすることなく、本願浴室テレビを簡単かつ体裁良く設置できるという優れた効果を奏する。
【図面の簡単な説明】
【図１】本願テレビと取付基板とを示す外観斜視図である。
【図２】外枠の開口縁と透光板との関係を示す部分断面図であって、（ａ）は透光板の固定前、（ｂ）は透光板の固定後である。
【図３】本願テレビの取付状態を示す一部省略側面断面図である。
【図４】本願テレビの配線を示す略示的説明図である。
【符号の説明】
１  本願浴室テレビ
２  外枠
３  開口枠
４  周壁枠
３ａ  開口縁
５  透光板（強化ガラス）
６  防水弾性シート
６′  粘着面
７  防水弾性接着剤
８  押え枠
９  ネジ棒
９′  スペーサ
９ａ  締付ナット
１０  テレビ受像機
１０ａ  スクリーン面
１１  背面枠
１２  導線
１３  導線穴
１４  背面板
１５  ビス穴
１６  爪片
１７  共通ビス穴
１８  取付基板
１９  ビス
２０  ビス
Ｓ  空間
Ｆ  浴室
Ｆ′  壁面
Ｆ″  天井
Ｇ１  、Ｇ２    隙間
【図１】
2004208046.tif 000003
【図２】
2004208046.tif 000004
【図３】
2004208046.tif 000005
【図４】
2004208046.tif 000006